(57)【特許請求の範囲】
【請求項１】
左右の縦材の端部間に横材を備えた屋根枠に、矩形状を成し、縦縁と横縁とを有する複数の天井パネルユニットを並設することによって天井を構成したカーポートであって、
前記天井パネルユニットの縦縁には、一方の縦縁に支持ヒレ部及び固定ヒレ部を設けるとともに、他方の縦縁に係合ヒレ部を設け、前記係合ヒレ部は、前記一方の縦縁と前記他方の縦縁とが対向した状態で前記天井パネルユニットを互いに並設した場合に前記支持ヒレ部の上面に載置されるものであり、
前記左右の縦材の間には、前記横材に平行となるように補助横材を配設し、
前記縦材の一方には、前記天井パネルユニットの係合ヒレ部が載置される支持ヒレ片を有したスタータ部材を固定し、
前記補助横材を含む前記屋根枠の下面には、前記支持ヒレ部に前記天井パネルユニットの係合ヒレ部を載置させる際に前記屋根枠に対する前記天井パネルユニットの前記横縁の位置を規定する目地材を配設し、
前記天井パネルユニットのそれぞれは、前記目地材の間において前記係合ヒレ部を前記支持ヒレ部に載置させ、かつ前記固定ヒレ部を介して前記横材の下面もしくは前記補助横材の下面に取付ネジを螺合することによって前記屋根枠に固定したことを特徴とするカーポート。
【請求項２】
前記天井パネルユニットのいずれか一方の縦縁には、前記天井パネルユニットを並設した状態で、前記係合ヒレ部を前記支持ヒレ部の上面に載置させた場合に前記支持ヒレ部の先端もしくは前記係合ヒレ部の先端に当接する当接面を設けたことを特徴とする請求項１に記載のカーポート。
【請求項３】
前記係合ヒレ部を前記支持ヒレ部の上面に載置させた場合に前記支持ヒレ部の下面を覆うカバーヒレ部を前記係合ヒレ部と一体に成形したことを特徴とする請求項１に記載のカーポート。
【請求項４】
前記天井パネルユニットは、
矩形の平板状を成す天井パネル板と、
形材から成り、前記天井パネル板の両側にそれぞれ固定した前記縦縁を構成する縦フレーム材と
を備え、前記縦フレーム材の一方に前記支持ヒレ部を設けるとともに、前記縦フレーム材の他方に前記係合ヒレ部を設けたことを特徴とする請求項１に記載のカーポート。
【請求項５】
前記天井パネル板は、前記屋根枠に対向する内表面にスタッドボルトを備え、前記スタッドボルトに螺合した固定ナットとの間に前記縦フレーム材を固定したことを特徴とする請求項４に記載のカーポート。
【請求項６】
前記天井パネルユニットは、前記縦フレーム材の間に複数の補助横フレーム材を備えることを特徴とする請求項４に記載のカーポート。
【発明の詳細な説明】
【技術分野】
【０００１】
本発明は、天井パネルユニットを備えたカーポートに関するもので、特に、天井パネルユニットの取付構造の改良に関するものである。
【背景技術】
【０００２】
昨今のカーポートには、屋根の天井となる下面に装飾用の天井パネルユニットを取り付けるようにしたものが提供されている。天井パネルユニットとしては、例えば珪酸カルシウム等の不燃性を有した化粧パネルが用いられている。
【０００３】
このカーポートでは、梁と桁とによって構成された屋根枠の内部に骨材が適宜な間隔で設けられている。骨材は、下縁部の両側にそれぞれほぼ水平に沿って突出する載置部を有したものである。天井パネルユニットの大きさは、骨材の相互間隔よりも小さく、かつ載置部の相互間隔よりも大きな寸法に設定されている。このカーポートにおいては、骨材の相互間に対して下方から斜めの姿勢で天井パネルユニットを挿入し、その後、天井パネルユニットを水平の姿勢に戻すことで、骨材の載置部に天井パネルユニットを載置させるようにしている。
【０００４】
この種のカーポートによれば、屋根パネルユニットの裏側が天井パネルユニットによって覆い隠されることになるため、車の収容スペースから屋根を見上げた場合の意匠性を向上させ、高級品のカーポートを品揃えすることが可能となる（例えば、特許文献１参照）。
【先行技術文献】
【特許文献】
【０００５】
【特許文献１】特開２０１０−２０３０４０号公報
【発明の概要】
【発明が解決しようとする課題】
【０００６】
しかしながら、上述のカーポートにあっては、天井パネルユニットを取り付ける場合の作業性を考慮した場合、必ずしも好ましいとはいえない。すなわち、骨材の相互間に下方から天井パネルユニットを挿入する場合には、天井パネルユニットと骨材の載置部との位置を直接確認することができないため、両者の位置合わせ作業がきわめて煩雑となる。しかも、天井パネルユニットを水平の姿勢に戻した際に骨材の載置部との掛かり代が十分でない場合には、天井パネルユニットが脱落するおそれもある。さらに、下方から天井パネルユニットが押された場合の位置ずれを防止するには、天井パネルユニットの上方への移動を阻止する部材を骨材に取り付ける必要があり、天井パネルユニットの取付作業が一層煩雑化することになる。
【０００７】
本発明は、上記実情に鑑みて、煩雑な取付作業を要することなく、天井パネルユニットを確実に取り付けることのできるカーポートを提供することを目的とする。
【課題を解決するための手段】
【０００８】
上記目的を達成するため、本発明に係るカーポートは、左右の縦材の端部間に横材を備えた屋根枠に、矩形状を成し、縦縁と横縁とを有する複数の天井パネルユニットを並設することによって天井を構成したカーポートであって、前記天井パネルユニットの縦縁には、一方の縦縁に支持ヒレ部及び固定ヒレ部を設けるとともに、他方の縦縁に係合ヒレ部を設け、前記係合ヒレ部は、前記一方の縦縁と前記他方の縦縁とが対向した状態で前記天井パネルユニットを互いに並設した場合に前記支持ヒレ部の上面に載置されるものであり、前記左右の縦材の間には、前記横材に平行となるように補助横材を配設し、前記縦材の一方には、前記天井パネルユニットの係合ヒレ部が載置される支持ヒレ片を有したスタータ部材を固定し、前記補助横材を含む前記屋根枠の下面には、前記支持ヒレ部に前記天井パネルユニットの係合ヒレ部を載置させる際に前記屋根枠に対する前記天井パネルユニットの前記横縁の位置を規定する目地材を配設し、前記天井パネルユニットのそれぞれは、前記目地材の間において前記係合ヒレ部を前記支持ヒレ部に載置させ、かつ前記固定ヒレ部を介して前記横材の下面もしくは前記補助横材の下面に取付ネジを螺合することによって前記屋根枠に固定したことを特徴とする。
【０００９】
この発明によれば、屋根枠に固定された支持ヒレ部の上面に天井パネルユニットの係合ヒレ部を載置させ、かつ固定ヒレ部を介して取付ネジを螺合させれば屋根枠に天井パネルユニットを取り付けることが可能である。支持ヒレ片や支持ヒレ部の上面に天井パネルユニットの係合ヒレ部を載置させる作業は、下方から行った場合にも直接視認することが可能であり、位置合わせに煩雑な作業を要しない。また、固定ヒレ部を介して取付ネジを螺合する作業についても、下方から直接実施可能であり、煩雑な作業を行うことなく、天井パネルユニットが脱落する事態を防止することができる。
【００１０】
また本発明は、上述したカーポートにおいて、前記天井パネルユニットのいずれか一方の縦縁には、前記天井パネルユニットを並設した状態で、前記係合ヒレ部を前記支持ヒレ部の上面に載置させた場合に前記支持ヒレ部の先端もしくは前記係合ヒレ部の先端に当接する当接面を設けたことを特徴とする。
【００１１】
この発明によれば、支持ヒレ部の先端もしくは係合ヒレ部の先端を当接面に当接させることにより、天井パネルユニットの相互間隔を正確に規定することができる。
【００１２】
また本発明は、上述したカーポートにおいて、前記係合ヒレ部を前記支持ヒレ部の上面に載置させた場合に前記支持ヒレ部の下面を覆うカバーヒレ部を前記係合ヒレ部と一体に成形したことを特徴とする。
【００１３】
この発明によれば、支持ヒレ部を係合ヒレ部とカバーヒレ部との間に挿入すれば、係合ヒレ部を支持ヒレ部の上面に確実に当接させることが可能となり、取付作業の容易化を図ることができる。
【００１４】
また本発明は、上述したカーポートにおいて、前記天井パネルユニットは、矩形の平板状を成す天井パネル板と、形材から成り、前記天井パネル板の両側にそれぞれ固定した前記縦縁を構成する縦フレーム材とを備え、前記縦フレーム材の一方に前記支持ヒレ部を設けるとともに、前記縦フレーム材の他方に前記係合ヒレ部を設けたことを特徴とする。
【００１５】
この発明によれば、形材に設けた係合ヒレ部を形材に設けた支持ヒレ部の上面に載置させるようにしているため、天井パネルユニットの取付強度を十分に確保することができる。
【００１６】
また本発明は、上述したカーポートにおいて、前記天井パネル板は、前記屋根枠に対向する内表面にスタッドボルトを備え、前記スタッドボルトに螺合した固定ナットとの間に前記縦フレーム材を固定したことを特徴とする。
【００１７】
この発明によれば、天井パネル板の下面にボルトの頭部が露出しないため、外観品質の向上を図ることができる。
【００１８】
また本発明は、上述したカーポートにおいて、前記天井パネルユニットは、前記縦フレーム材の間に複数の補助横フレーム材を備えることを特徴とする。
【００１９】
この発明によれば、天井パネルユニットに所望の強度を確保することができるようになる。
【発明の効果】
【００２０】
本発明によれば、屋根枠に固定された支持ヒレ部の上面に天井パネルユニットの係合ヒレ部を載置させ、かつ固定ヒレ部を介して取付ネジを螺合させれば屋根枠に天井パネルユニットを取り付けることが可能である。支持ヒレ部の上面に天井パネルユニットの係合ヒレ部を載置させる作業は、下方から行った場合にも直接視認することが可能であり、位置合わせに煩雑な作業を要しない。また、固定ヒレ部を介して取付ネジを螺合する作業についても、下方から直接実施可能であり、煩雑な作業を行うことなく、天井パネルユニットが脱落する事態を防止することができる。
【図面の簡単な説明】
【００２１】
【図１】図１は、本発明の実施の形態であるカーポートの正面図である。
【図２】図２は、図１に示したカーポートの右側面図である。
【図３】図３は、図１に示したカーポートの拡大底面図である。
【図４】図４は、図１に示したカーポートの断面を示したもので、（ａ）は図２におけるＸ−Ｘ線断面図、（ｂ）は（ａ）の要部拡大図である。
【図５】図５は、図１におけるＹ−Ｙ線断面図である。
【図６】図６は、図１のカーポートに適用する天井パネルユニットを横縁から見た分解図である。
【図７】図７は、図１のカーポートに適用する天井パネルユニットを縦縁から見た図である。
【図８】図８は、図１に示したカーポートの屋根枠に天井パネルユニットを取り付ける以前の状態を示すもので、（ａ）は断面側面図、（ｂ）は要部拡大図である。
【図９】図９は、図１に示したカーポートの屋根枠に天井パネルユニットを取り付ける状態を示す断面側面図である。
【図１０】図１０は、図１に示したカーポートの屋根枠に天井パネルユニットを取り付けるに先だってスタータ部材を取り付ける状態を示すもので、（ａ）は断面正面図、（ｂ）は要部拡大図である。
【図１１】図１１は、スタータ部材を取り付けた屋根枠に天井パネルユニットを取り付ける過程を示したもので、（ａ）は断面正面図、（ｂ）は要部拡大図である。
【図１２】図１２は、スタータ部材の支持ヒレ部に係合ヒレ部を載置させた天井パネルユニットの固定ヒレ部に取付ネジを螺合する状態を示した断面正面図である。
【図１３】図１３は、先に取り付けた天井パネルユニットの支持ヒレ部に次に取り付ける天井パネルユニットの係合ヒレ部を載置させた状態を示すもので、（ａ）は断面正面図、（ｂ）は要部拡大図である。
【発明を実施するための形態】
【００２２】
以下、添付図面を参照しながら本発明に係るカーポートの好適な実施の形態について詳細に説明する。
【００２３】
図１〜図３は、本発明の実施の形態であるカーポートを示したものである。ここで例示するカーポートは、間口幅に対して奥行きがほぼ２倍となる駐車スペースＳを設置対象とするもので、柱１及び屋根１０を備えて構成してある。柱１は、アルミニウム合金の押し出し形材によって構成した角筒状を成すもので、駐車スペースＳの両側からそれぞれ鉛直方向に沿って３本ずつ立設してある。屋根１０は、図４及び図５に示すように、屋根枠１１の上面に屋根パネルユニット１００を配設するとともに、屋根枠１１の下面に複数の天井パネルユニット２００を並設することによって構成したものである。
【００２４】
屋根枠１１は、左右の柱１の上端部間に設けた３本の梁（横材）１１Ａと、前後の柱１の上端部間に設けた左右の桁（縦材）１１Ｂとによってほぼ矩形の枠状となるように構成したものである。図３に示すように、左右の桁１１Ｂは、それぞれ駐車スペースＳの前方に立設した柱１よりもわずかに前方に突出した状態にある。梁１１Ａ及び桁１１Ｂは、図４及び図５に示すように、左右の幅に対して高さが大きな略角筒状を成すもので、それぞれアルミニウム合金の押し出し形材によって構成してある。これら梁１１Ａ及び桁１１Ｂは、いずれもほぼ水平となるように配設してある。図４に示すように、桁１１Ｂの下面には、天井パネルユニット２００とほぼ同じ高さを有した化粧枠１１Ｃが取り付けてある。化粧枠１１Ｃは、左右方向の幅が桁１１Ｂよりも大きく構成してあり、桁１１Ｂの下面から左右両側に突出している。図４及び図５に示すように、後方の梁１１Ａ（以下、区別する場合に「後梁１１Ａ」という）及び左右の桁１１Ｂの外周囲となる見付け面には、それぞれ化粧カバー１１Ｄが取り付けてある。また、前方の梁１１Ａ（以下、区別する場合に「前梁１１Ａ」という）よりも前方に突出した桁１１Ｂの間についても、同様の化粧カバー１１Ｄが取り付けてある。
【００２５】
また、梁１１Ａの相互間には、それぞれ桁１１Ｂに架け渡すように骨材（補助横材）１１Ｅが２本ずつ配設してある。骨材１１Ｅは、図４及び図５に示すように、梁１１Ａとほぼ同じ幅を有する一方、梁１１Ａのほぼ１／４の高さを有した略角筒状を成すもので、下面を梁１１Ａの下面と一致させた状態で左右の桁１１Ｂの間にほぼ等間隔に架設してある。
【００２６】
屋根パネルユニット１００は、図４及び図５に示すように、複数の屋根フレーム材１０１によって構成した屋根フレーム枠１１０に屋根パネル板１１１を支持させることによって構成したもので、屋根枠１１の上面を覆う状態で配設してある。本実施の形態では、前梁１１Ａと中央の梁１１Ａ（以下、区別する場合に「中梁１１Ａ」という）との間に、中梁１１Ａに向けて漸次下方に傾斜するように屋根パネルユニット１００が配設してある。同様に、後方の梁１１Ａと中梁１１Ａとの間には、図には明示していないが、中梁１１Ａに向けて漸次下方に傾斜するように屋根パネルユニット１００が配設してある。図５中の符号１０２は、屋根パネルユニット１００において下方となる縁部に設けた形材であり、樋の機能を有している。また、符号１２０は、前梁１１Ａの上面と前方の化粧カバー１１Ｄの上面との間を覆うように設けた庇部材である。
【００２７】
天井パネルユニット２００は、図６及び図７に示すように、矩形状を成す天井パネル板２１０と、天井パネル板２１０の両側縁部に固定した縦フレーム材２２０，２３０と、縦フレーム材２２０，２３０の相互間に設けた複数の補助横フレーム材２４０とを備えて構成してある。
【００２８】
本実施の形態の天井パネル板２１０は、図３に示すように、屋根枠１１の下面をほぼ９等分した大きさとなるように構成してある。すなわち、天井パネル板２１０は、屋根枠１１の梁１１Ａと平行となる横縁２１０ａが梁１１Ａのほぼ１／３の寸法を有し、桁１１Ｂと平行となる縦縁２１０ｂが桁１１Ｂのほぼ１／３の寸法を有するように形成してある。天井パネル板２１０としては、アルミニウム合金等の金属製の薄板を適用している。図には明示していないが、天井パネル板２１０において外部に現れる外表面には、例えば木目調のシール材が貼り付けてある。また、シール材に代えて外表面に木目調の塗装を施しても良い。
【００２９】
一方、天井パネル板２１０の内表面には、図６及び図７に示すように、複数のスタッドボルト２１１が設けてある。スタッドボルト２１１は、周面にネジ溝を有した円柱状を成すもので、基端部を天井パネル板２１０の内表面に溶着することにより、それぞれが天井パネル板２１０から直角となるように立設している。これらのスタッドボルト２１１は、天井パネル板２１０において縦フレーム材２２０，２３０を設ける両側の縦縁２１０ｂに沿った部分及び後述する補助横フレーム材２４０を配設する部分に沿ってそれぞれ複数本ずつ配設してある。
【００３０】
縦フレーム材２２０，２３０は、それぞれアルミニウム合金の押し出し形材によって構成したものである。それぞれの縦フレーム材２２０，２３０には、下方に平坦なパネル取付面２２１，２３１が設けてある一方、上方には平坦でパネル取付面２２１，２３１に平行な枠取付面２２２，２３２が設けてある。パネル取付面２２１，２３１から枠取付面２２２，２３２までの距離は、２つの縦フレーム材２２０，２３０で共通である。図６において右方に設けた縦フレーム材（以下、「基端縦フレーム材２３０」という）では、天井パネル板２１０の縁部側に位置する側面の上部が下部よりも側方に向けて突出した形状を成しており、パネル取付面２３１よりも枠取付面２３２が拡大してある。これに対して図６において左方に設けた縦フレーム材（以下、「先端縦フレーム材２２０」という）では、天井パネル板２１０の縁部側に位置する上面２２３が一段低くなった形状を成しており、パネル取付面２２１に対して枠取付面２２２が縮小してある。
【００３１】
基端縦フレーム材２３０及び先端縦フレーム材２２０のパネル取付面２２１，２３１には、それぞれ天井パネル板２１０に設けたスタッドボルト２１１を挿通可能とする寸法のボルト挿通孔２２１ａ，２３１ａが設けてある。さらに、基端縦フレーム材２３０には、枠取付面２３２においてボルト挿通孔２３１ａの延長上となる部位に工具挿通孔２３２ａが設けてあり、先端縦フレーム材２２０には、一段低くなった上面２２３においてボルト挿通孔２２１ａの延長上となる部位に工具挿通孔２２３ａが設けてある。工具挿通孔２２３ａ，２３２ａは、スタッドボルト２１１に固定ナットＮを螺合する際に適用するソケットレンチ等の工具を挿通することのできる寸法の開口である。それぞれの縦フレーム材２２０，２３０は、ボルト挿通孔２２１ａ，２３１ａにスタッドボルト２１１を挿通させた状態でパネル取付面２２１，２３１を天井パネル板２１０の内表面に当接させ、この状態から工具挿通孔２２３ａ，２３２ａを介して挿通した固定ナットＮをスタッドボルト２１１に螺合させることによって天井パネル板２１０に固定してある。
【００３２】
図４の（ｂ）及び図６に示すように、基端縦フレーム材２３０には、固定ヒレ部２３３及び支持ヒレ部２３４が設けてあり、先端縦フレーム材２２０には、係合ヒレ部２２４及びカバーヒレ部２２５が設けてある。固定ヒレ部２３３は、基端縦フレーム材２３０の枠取付面２３２と略同じ高さ位置から側方に向けてほぼ水平に突出した薄板状部分である。支持ヒレ部２３４は、固定ヒレ部２３３よりも下方となる位置から側方に向けてほぼ水平に突出した薄板状部分である。支持ヒレ部２３４の突出寸法は、固定ヒレ部２３３の突出寸法のほぼ１／２である。この支持ヒレ部２３４には、突出縁部に係合突条２３４ａが設けてある。係合突条２３４ａは、支持ヒレ部２３４の上面から半円筒状に突出した部分である。図からも明らかなように、係合突条２３４ａは、支持ヒレ部２３４の板厚とほぼ等しい突出高さを有するように構成してある。
【００３３】
係合ヒレ部２２４及びカバーヒレ部２２５は、先端縦フレーム材２２０の側面において上方となる部分に側方に向けて開口する凹溝２２６を設けることにより構成したものである。すなわち、実施の形態においては、先端縦フレーム材２２０に設けた凹溝２２６の内上面が係合ヒレ部２２４を構成し、かつ凹溝２２６の内底面がカバーヒレ部２２５を構成している。係合ヒレ部２２４は、先端縦フレーム材２２０の側面よりも側方に突出しており、支持ヒレ部２３４の突出縁部を凹溝２２６の奥壁に当接させた場合に、突出縁部が基端縦フレーム材２３０の上部側面に当接するように構成してある。図からも明らかなように、凹溝２２６の奥壁上部には、支持ヒレ部２３４の係合突条２３４ａが係合することのできる係合凹条２２４ａが設けてある。
【００３４】
補助横フレーム材２４０は、縦フレーム材２２０，２３０と同様、アルミニウム合金の押し出し形材によって構成したもので、図６及び図７に示すように、基端縦フレーム材２３０及び先端縦フレーム材２２０の間にこれらの縦フレーム材２２０，２３０に直交する方向に沿って複数配設してある。本実施の形態では、基板部２４１、一対の側板部２４２、一対の脚板部２４３を有した補助横フレーム材２４０を適用している。基板部２４１は、長尺の平板状を成すもので、適宜間隔をおいた位置にボルト挿通孔２４１ａを有している。側板部２４２は、基板部２４１の両側縁部からそれぞれ基板部２４１の表面側に向けて略直角に屈曲したものである。脚板部２４３は、基板部２４１の裏面中央部から側板部２４２とは反対側に向けて突出したもので、個々の突出端部に設置板部２４４を有している。設置板部２４４は、脚板部２４３の突出端部から両側に向けて略直角に突出したものである。それぞれの補助横フレーム材２４０は、ボルト挿通孔２４１ａにスタッドボルト２１１を挿通させた状態で設置板部２４４を天井パネル板２１０の内表面に当接させ、この状態から固定ナットＮをスタッドボルト２１１に螺合させることによって天井パネル板２１０に固定してある。
【００３５】
上記のように構成した天井パネルユニット２００は、図３、図５、図８、図９に示すように、骨材１１Ｅを含む屋根枠１１の下面に互いに平行となるように複数の目地材３００を配設し、さらに図３、図１０に示すように、一方の桁１１Ｂにおいて目地材３００の相互間となる部位にスタータ部材４００を配設した後、図１１〜図１３に示すように、順次屋根枠１１の下面に取り付けられる。
【００３６】
目地材３００は、図８及び図９に示すように、天井パネルユニット２００の補助横フレーム材２４０と同一の形状を有したアルミニウム合金の押し出し形材であり、桁１１Ｂの相互間隔をほぼ等しい長さを有している。すなわち、目地材３００は、基板部３０１、一対の側板部３０２、一対の脚板部３０３及び設置板部３０４を有したものである。それぞれの目地材３００は、梁１１Ａに平行となる状態で設置板部３０４を屋根枠１１の下面に当接させ、この状態からボルト挿通孔３０１ａを介して取付ネジＢを屋根枠１１に螺合することにより屋根枠１１の下面に固定してある。本実施の形態では、図３に示すように、前梁１１Ａと後梁１１Ａとの間をほぼ三等分するように４本の目地材３００が屋根枠１１の下面に配設してある。すなわち、中梁１１Ａに隣設する前後の骨材１１Ｅの下面、前梁１１Ａよりもわずかに前方となる部位の下面、後梁１１Ａよりもわずかに後方となる部位の下面の４カ所にそれぞれ目地材３００が取り付けてある。
【００３７】
スタータ部材４００は、図１０及び図１１に示すように、角柱状を成す基部４０１の一方の側面４０１ａに固定ヒレ部４０２及び支持ヒレ片４０３を有し、かつ基部４０１の他方の側面に取付片部４０４を有した長尺部材であり、アルミニウム合金の押し出し形材によって構成してある。固定ヒレ部４０２及び支持ヒレ片４０３は、それぞれ基端縦フレーム材２３０に設けた固定ヒレ部２３３及び支持ヒレ部２３４と同一の形状に構成したものである。取付片部４０４は、基部４０１の他方の側面の上隅部から側方に向けて突出する載置片部分４０４ａと、載置片部分４０４ａの突出縁部から上方に向けてほぼ直角に屈曲した締結片部分４０４ｂとを有したものである。このスタータ部材４００は、図１０に示すように、固定ヒレ部４０２及び支持ヒレ片４０３をもう一方の桁１１Ｂに向けて配置するとともに、載置片部分４０４ａを桁１１Ｂの下面に取り付けた化粧枠１１Ｃの上面に当接させ、この状態から締結片部分４０４ｂを介して桁１１Ｂの内周囲となる見付け面に取付ネジＢを螺合することにより桁１１Ｂに固定してある。さらにスタータ部材４００の両端部においては、固定ヒレ部４０２を介して骨材１１Ｅの下面に取付ネジＢを螺合するようにしている。
【００３８】
上記のように目地材３００及びスタータ部材４００を取り付けた屋根枠１１に天井パネルユニット２００を取り付ける場合には、図１１に示すように、天井パネルユニット２００の先端縦フレーム材２２０を屋根枠１１のスタータ部材４００に近接させ、先端縦フレーム材２２０の係合ヒレ部２２４をスタータ部材４００の支持ヒレ片４０３に載置させる。このとき、屋根枠１１に設けた目地材３００と天井パネル板２１０の横縁２１０ａとが適宜当接することによってガイドとなるため、屋根枠１１に対する天井パネルユニット２００の前後方向に沿った位置決めを容易に、かつ正確に行うことができる。さらに、スタータ部材４００及び天井パネルユニット２００の先端縦フレーム材２２０は、下方から直接視認することが可能であり、両者の位置決めに煩雑な作業を要しない。
【００３９】
また、上述した天井パネルユニット２００においては、先端縦フレーム材２２０に凹溝２２６を形成することによってその内上面に係合ヒレ部２２４を構成しているため、スタータ部材４００の支持ヒレ片４０３を先端縦フレーム材２２０の凹溝２２６に挿入すれば、係合ヒレ部２２４を確実に支持ヒレ片４０３に載置することができる。特に、本実施の形態では、支持ヒレ片４０３に係合突条４０３ａが設けてあるとともに、凹溝２２６の奥壁上部に係合凹条２２４ａが設けてある。従って、係合突条４０３ａが係合凹条２２４ａに到達した後においては、係合ヒレ部２２４を支持ヒレ片４０３に載置した状態を維持し易くなる。さらに、係合突条４０３ａが係合凹条２２４ａに到達した際には、係合ヒレ部２２４の先端がスタータ部材４００における基部４０１の側面４０１ａに当接した状態となるため、屋根枠１１に対する天井パネルユニット２００の左右方向に沿った位置決めを容易に、かつ正確に行うことができる。
【００４０】
その後、図１２に示すように、先端縦フレーム材２２０の係合ヒレ部２２４がスタータ部材４００の支持ヒレ片４０３に載置された状態で基端縦フレーム材２３０の固定ヒレ部２３３を梁１１Ａや骨材１１Ｅの下面に当接させ、この状態から固定ヒレ部２３３を介して梁１１Ａや骨材１１Ｅに取付ネジＢを螺合する。この状態においては、天井パネルユニット２００のスタータ部材４００からの脱落方向の移動が阻止されることになり、天井パネルユニット２００が屋根枠１１の下面に取り付けられた状態となる。
【００４１】
以降においては、スタータ部材４００の支持ヒレ片４０３に代えて、図１３に示すように、先に取り付けた天井パネルユニット２００を対象とし、基端縦フレーム材２３０に設けた支持ヒレ部２３４に、次に取り付ける天井パネルユニット２００の係合ヒレ部２２４を載置させれば良い。
【００４２】
すなわち、次に取り付ける天井パネルユニット２００の先端縦フレーム材２２０を先に取り付けた天井パネルユニット２００の基端縦フレーム材２３０に近接させ、基端縦フレーム材２３０の支持ヒレ部２３４を先端縦フレーム材２２０の凹溝２２６に挿入することによって先端縦フレーム材２２０の係合ヒレ部２２４を基端縦フレーム材２３０の支持ヒレ部２３４に載置させる。この場合においても、屋根枠１１に設けた目地材３００と天井パネル板２１０の横縁２１０ａとが適宜当接することによってガイドとなるため、屋根枠１１に対する天井パネルユニット２００の前後方向に沿った位置決めを容易に、かつ正確に行うことができる。さらに、先に取り付けた天井パネルユニット２００の基端縦フレーム材２３０及び次に取り付ける天井パネルユニット２００の先端縦フレーム材２２０は、下方から直接視認することが可能であり、両者の位置決めに煩雑な作業を要しない。
【００４３】
先端縦フレーム材２２０と基端縦フレーム材２３０との間においても、支持ヒレ部２３４に係合突条２３４ａが設けてあるとともに、凹溝２２６の奥壁上部に係合凹条２２４ａが設けてあるため、係合突条２３４ａが係合凹条２２４ａに到達した後、係合ヒレ部２２４を支持ヒレ部２３４に載置した状態を維持し易くなる。さらに、係合突条２３４ａが係合凹条２２４ａに到達した際には、係合ヒレ部２２４の先端が基端縦フレーム材２３０において固定ヒレ部２３３と支持ヒレ部２３４との間に位置する側面（当接面）２３０ａに当接した状態となるため、屋根枠１１に対する天井パネルユニット２００の左右方向に沿った位置決めを容易に、かつ正確に行うことができる。
【００４４】
その後、図１２に示すように、先端縦フレーム材２２０の係合ヒレ部２２４が基端縦フレーム材２３０の支持ヒレ部２３４に載置された状態で基端縦フレーム材２３０の固定ヒレ部２３３を梁１１Ａや骨材１１Ｅの下面に当接させ、この状態から固定ヒレ部２３３を介して梁１１Ａや骨材１１Ｅに取付ネジＢを螺合すれば良い。
【００４５】
尚、上述した実施の形態では、６本の柱を備えるとともに、梁を３本備えたカーポートを例示しているが、柱や梁の数は必ずしもこれらに限定されず、並設する天井パネルユニットの数も９枚に限定されない。また、梁の相互間に２本の骨材を設けるようにしているが、骨材の数も２本に限らない。
【００４６】
また、上述した実施の形態では、天井パネル板にスタッドボルトを設け、このスタッドボルトを介して縦フレーム材を取り付けることによって天井パネルユニットを構成しているため、任意の寸法の天井パネルユニットを容易に構成することが可能である。しかしながら、天井パネルユニットの構成は実施の形態に限定されず、例えば天井パネル板に直接縦フレーム材を溶着するようにしても良い。
【符号の説明】
【００４７】
１１  屋根枠、１１Ａ  梁、１１Ｂ  桁、１１Ｅ  骨材、２００  天井パネルユニット、２１０  天井パネル板、２１０ａ  横縁、２１０ｂ  縦縁、２１１  スタッドボルト、２２０  先端縦フレーム材、２２４  係合ヒレ部、２２５  カバーヒレ部、２３０  基端縦フレーム材、２３３  固定ヒレ部、２３４  支持ヒレ部、３００  目地材、４００  スタータ部材、４０２  固定ヒレ部、４０３  支持ヒレ片、Ｂ  取付ネジ、Ｎ  固定ナット
【図１】
0006420710.tif 000002
【図２】
0006420710.tif 000003
【図３】
0006420710.tif 000004
【図４】
0006420710.tif 000005
【図５】
0006420710.tif 000006
【図６】
0006420710.tif 000007
【図７】
0006420710.tif 000008
【図８】
0006420710.tif 000009
【図９】
0006420710.tif 000010
【図１０】
0006420710.tif 000011
【図１１】
0006420710.tif 000012
【図１２】
0006420710.tif 000013
【図１３】
0006420710.tif 000014